(57)【要約】【課題】  収納庫の除湿のためのヒータを取外すことなく用紙補給動作ができなかった。【解決手段】  用紙を積載するためのリフター板105と、リフター板105に積載されている最上紙に密着するシート状ヒータ110と有し、リフター板105に積載されている最上紙とシート状ヒータ110を密着させる位置と、リフター板105に積載されている最上紙とシート状ヒータ110とを離間させる位置の２つの位置を持つ。【選択図】  図３
2005324905.tif 000002
【特許請求の範囲】
【請求項１】
用紙を積載するための用紙積載手段と、用紙積載手段に積載されている最上紙に密着するシート状ヒータとをもつ給紙装置において、用紙積載手段に積載されている最上紙とシート状ヒータを密着させる位置と、用紙積載手段に積載されている最上紙とシート状ヒータとを離間させる位置の２つの位置を持つことを特徴とする給紙装置。
【請求項２】
用紙を積載するための用紙積載手段と、用紙積載手段に積載されている最上紙に密着するシート状ヒータとをもつ給紙装置において、用紙積載手段は給紙装置本体から出し入れ可能に構成され、シート状ヒータが給紙装置本体に取り付けられている状態で用紙積載手段が給紙装置本体から出し入れ可能であることを特徴とする給紙装置。
【請求項３】
用紙積載手段が上下に移動可能であることを特徴とする請求項１又は２記載の給紙装置。
【請求項４】
シート状ヒータは用紙積載手段上方に固定されており、用紙積載手段に積載されている用紙を上方に移動し、最上紙とシート状ヒータを密着させる位置と、用紙積載手段に積載されている用紙を下方に移動し、最上紙とシート状ヒータとを離間させる位置とに移動可能であることを特徴とする請求項３記載の給紙装置。
【請求項５】
用紙積載手段の給紙装置本体からの出し入れ動作に連動し、用紙積載手段がシート状ヒータから離間することを特徴とする請求項３記載の給紙装置。
【請求項６】
シート状ヒータが上下に移動可能に固定されていることを特徴とする請求項１又は２記載の給紙装置。
【請求項７】
シート状ヒータは用紙積載手段上方に固定されており、シート状ヒータを下方に移動させ、シート状ヒータと用紙積載手段に積載されている最上紙とを密着させる位置と、シート状ヒータを上方に移動させ、シート状ヒータと用紙積載手段に積載されている最上紙とを離間させる位置に移動可能であることを特徴とする請求項６記載の給紙装置。
【請求項８】
用紙積載手段の給紙装置本体からの出し入れ動作に連動し、シート状ヒータが用紙積載手段から退避することを特徴とする請求項６記載の給紙装置。
【請求項９】
サイドローディングであることを特徴とする請求項１又は２記載の給紙装置。
【請求項１０】
フロントローディングであることを特徴とする請求項１又は２記載の給紙装置。
【請求項１１】
前記請求項１乃至請求項１０のいずれか１項に記載の給紙装置と、
前記給紙装置から送り出された用紙に画像を形成する画像形成手段と、
を備えたことを特徴とする画像形成装置。
【発明の詳細な説明】
【技術分野】
【０００１】
本発明は、複写機やプリンターなどの画像形成装置に設けられる給紙装置に関するものである。
【背景技術】
【０００２】
従来、複写機やプリンターにおいて、通常用いられるシート材は、上質紙や複写機用の普通紙等であった。このような用紙は、用紙間へ空気が流入しやすいため、用紙間が吸着し重送が発生することは比較的少なかった。このため、一般に用いられる摩擦分離方式で分離可能であった。
【０００３】
しかし、最近では市場においてカラー化の受容が増え、チラシやポスターなどに用いられるアート紙やコート紙といった平滑性の高い紙を複写またはプリントさせたいという要望が高まりつつある。このような紙は、普通紙等と異なり、特に高湿環境下において用紙束の最上紙及び紙こばから吸湿して用紙間の吸着力が増大する。このため、従来の摩擦分離方式では全く給紙ができないという問題があった。
【０００４】
そこで、用紙束の側面にエアーを吹き付け、用紙間の吸着を強制的に分離させてから給紙する方法や（例えば、特許文献１参照）、用紙が吸湿するのを極力防ぐために、用紙収納庫（給紙カセット）に上蓋を設けて外気を遮断したり、用紙束表面にOHTシートのような防湿部材をのせ吸湿を避ける方法（例えば、特許文献２参照）が提案されている。
【特許文献１】特開平１１−５６４３号公報
【特許文献２】特開２００１−０６３８５３号公報
【発明の開示】
【発明が解決しようとする課題】
【０００５】
上記のようなエアー分離ではエアーを発生させるファンが必要で、そのエアーを最適に制御する手段を設けなければならず装置が大型化してしまう。また、単に用紙収納庫（給紙カセット）に上蓋を設けたり防湿部材をのせる方法では、収納部庫内の用紙束への吸湿を防止することは出来るが、用紙を収納庫にセットするまでの吸湿を防止することは出来ない。一度吸湿し密着した用紙束は、防湿しただけでは給紙搬送を十分に行えるまで吸着力は低下しない。そこで、一度吸湿して吸着してしまった用紙束でも、最上紙表面にシート状ヒータを置くことで、防湿効果だけでなく除湿することが可能となる。これにより、リタード給紙を始とする従来の摩擦分離方式で給紙搬送が行うことが可能となる。
【０００６】
しかしながら、ヒータを収納庫に持つ構成のため、用紙をセットするときには、コードのついたシート状ヒータを一旦どけてから用紙を補給しまたシート状ヒータをセットし直す必要があり、操作性が著しく低下した。
【０００７】
そこで本発明では、用紙束の最上紙に密着し用紙への吸湿防止・除湿を行い、吸湿による用紙同紙の密着で発生する重送・送らずを防止するためのシート状ヒータを持つ給紙装置において、シート状ヒータを給紙装置本体側に取り付けることで、ヒータを取外すことなく用紙補給動作が可能な構成を提案することを目的とする。
【課題を解決するための手段】
【０００８】
本発明は、用紙を積載するための用紙積載手段と、用紙積載手段に積載されている最上紙に密着するシート状ヒータとをもつ給紙装置において、用紙積載手段に積載されている最上紙とシート状ヒータを密着させる位置と、用紙積載手段に積載されている最上紙とシート状ヒータとを離間させる位置の２つの位置を持つことを特徴とする。
【発明の効果】
【０００９】
用紙収納部の最上紙に接することで吸湿を防止するシート状ヒータを持つ給紙装置で、シート状ヒータが給紙装置本体に取り付けられている状態で用紙積載手段に用紙補給動作が可能となることで、用紙補充等の操作性が著しく向上した。
【発明を実施するための最良の形態】
【００１０】
図１は、本発明に係る給紙装置の概略図で、本発明の給紙装置である大容量給紙サイドデッキ（サイドローディングデッキ）３０１及びフロントデッキ（フロントローディングデッキ）３０２と、この給紙デッキより給紙されたシート材に画像を転写・定着し、排紙部へと排紙する画像形成装置本体３００である。給紙デッキ３０１、３０２に積載されたシート材Ｓの最上紙上面には、すでに吸湿した状態のシートを除湿するシート状のヒータ１１０及び２１０がある。
【００１１】
図２は、シート状のヒータ１１０の構成を説明する図である（２１０も同構成）。シート状のヒータ１１０は、２枚のシート１１０Ａと、ＳＵＳ板１１０Ｂとからなり、２枚のシート間にＳＵＳ板１１０Ｂを挟み込んで接着したものである。ＳＵＳ板１１０Ｂは非常に薄くできており、シート１１０Ａ全体にはりめぐらされている。また、シート状のヒータ１１０は、SUS板１１０Ｂに電気を供給するための穴１１０Ｃが空いている。ここでは、シート状のヒータの構成としてシート１１０ＡとSUS板１１０Ｂを用いたが、軽量で発熱する構成であればこれに限られたものではなく、SUS板１１０Ｂのはりめぐらし方も図２に示した形に限られたものではない。
【００１２】
（実施の形態１）
図1の給紙サイドデッキ３０１について説明する。サイドデッキ３０１にはカバー１０１が有り、回動軸１０２を中心に回動する構成となっている。この場合、カバー１０１の開閉状態を検知し給紙装置の動作を制御するため、カバー１０１に突出部１０３を設け、収納庫側に設けられた開閉検知部１０４により開閉状態を検知する構成となっている。このような大容量給紙サイドデッキ３０１のカバー１０１の開閉を行うのは、主にシート材Ｓを収納庫に補給する場合である。そこで、この様な作業を行い易くするために、リフター板１０５の昇降動作を開閉検知部１０４の開閉状態に連動させる構成が多く用いられている。
【００１３】
これらの動作概略を図３の示す。図３は装置正面からサイドデッキ３０１を見たときの状態を示している。給紙部１０９は、リフター板１０５上に積載されたシート材Ｓを１枚ずつ給送するピックアップローラ１０９Ａと、このピックアップローラ１０９Ａにより給送されたシート材を画像形成装置本体３００へ向けて搬送するフィードローラ１０９Ｂと、このフィードローラ１０９Ｂに対向配置されシート材が複数枚の場合にはフィードローラ１０９Ｂの回転方向と逆方向に回転して１枚のシート材に分離するためのリタードローラ１０９Ｃにより構成されている。図３(１)、カバー１０１が開けられたときは、モータ１０６によりリフター板１０５がa方向に降下し、下限リミットセンサ１０８を切ると停止しする。
これによりシート状ヒータ１１０とリフター板１０５との間に空間ができ、シート材Ｓをc方向に補給することが出来る。図３(２)、シート材Sを補給し、カバーが閉じけられると、モータ１０６によりリフター板１０５がb方向に上昇し、積載されたシート材Ｓの最上紙上面はスライド部１１１により上下動可能固定されたシート状ヒータ１１０に密着する。図３(３)、シート材Ｓの最上紙にシート状ヒータ１１０が密着した状態で、更にリフター板１０５がb方向に上昇し、紙面検知センサ１０７を切ると停止する。ここで、シート状ヒータ１１０によりシート材Ｓの最上紙表面から除湿し、吸湿によるシート材同士の吸着力を十分低減させる。その後、シート材はピックアップローラ１０９A、フィードローラ１０９Ｂ、リタードローラ１０９Ｃによりのシート材を１枚づつ分離し画像形成装置本体３００へ向けて搬送される。ただし、シート状ヒータ１１０はピックアップローラ１０９Ａ及び紙面検知センサ１０７とは接触しない構成となっている。
【００１４】
（実施の形態２）
次に図1の給紙フロントデッキ３０２について説明する。フロントデッキ３０２のシート材収納部２０１は画像形成装置本体３００から開閉可能な構成となっている。このような大容量給紙フロントデッキ３０２のシート材収納部の開閉を行うのは、主にシート材Ｓを収納庫に補給する場合である。そこで、この様な作業を行い易くするために、リフター板２０５の昇降動作を開閉動作に連動させる構成が多く用いられている。
【００１５】
これらの動作概略を図４の示す。図４は装置右側面からフロントデッキ３０２を見たときの状態を示している。図４(１)、シート材Sを補給し、シート材収納部２０１が閉じけられると、モータ２０６によりリフター板２０５がb方向に上昇し、積載されたシート材Ｓの最上紙上面は固定部２１１により上下動可能固定されたシート状ヒータ２１０に密着する。シート材Ｓの最上紙にシート状ヒータ２１０が密着した状態で、更にリフター板２０５がb方向に上昇し、上限リミット検知センサ２０８を切ると停止する。
【００１６】
ここで、シート状ヒータ１１０によりシート材Ｓの最上紙表面から除湿し、吸湿によるシート材同士の吸着力を十分低減させる。図４(２)、その後給紙動作を行うときには、モータ２０６によりリフター板２０５がa方向に下降し、紙面検知センサ２０７の位置で停止する。この状態は、シート材最上紙がシート材の斜行を防止するためのサイド規制板２０２、２０３の最上部よりも低くなる位置で、シート材は実施の形態１同様に不図示のピックアップローラ、フィードローラ、リタードローラによりのシート材を１枚づつ分離し画像形成装置本体３００へ向けて搬送される。ただし、シート状ヒータ２１０はピックアップローラ及び紙面検知センサ２０７とは接触しない構成となっている。
【００１７】
図４(３)、シート材収納部２０１がｆ方向に開けられると、モータ２０６の駆動が切れ、リフター板２０５がa方向に降下する。これによりシート材収納部２０１上方よりシート材Ｓを補給することが可能となり、シート材収納部２０１を閉めると図４(１)の状態になる。
【００１８】
（実施の形態３）
実施の形態３も実施の形態２と同様に図1の給紙フロントデッキ３０２について説明したもので、同一部分については部号を付し、その説明を省略する。これらの動作概略を図５の示す。図５は装置右側面からフロントデッキ３０２を見たときの状態を示している。
【００１９】
図５(１)、シート材Sを補給し、シート材収納部２０１が閉じけられると、モータ２０６によりリフター板２０５がb方向に上昇し、積載されたシート材Ｓの最上紙上面はスライド部２１２により上下動可能に固定されたシート状ヒータ２１０に密着し、更にリフター板２０５がb方向に上昇し、紙面高さ検知センサ２０７を切ると停止する。この状態は、シート材最上紙がサイド規制板２０２、２０３の最上部よりも低くなる位置で、シート状ヒータ２１０による除湿動作やその後の給紙動作が可能である。ただし、シート状ヒータ２１０はピックアップローラ及び紙面検知センサ２０７とは接触しない構成となっている。
【００２０】
図５(２)(３)、シート材収納部２０１がｆ方向に開けられると、ヒータ退避コロ２１３、ヒータ退避テーパ部２１４によりシート状ヒータ２１０が退避する。また、モータ２０６の駆動が切れ、リフター板２０５がa方向に降下する。これによりシート材収納部２０１上方よりシート材Ｓを補給することが可能となり、シート材収納部２０１を閉めると図５(１)の状態になる。
【００２１】
（実施の形態４）
実施の形態４も実施の形態２、３と同様に図1の給紙フロントデッキ３０２について説明したもので、同一部分については部号を付し、その説明を省略する。これらの動作概略を図６の示す。図６は装置右側面からフロントデッキ３０２を見たときの状態を示している。
【００２２】
図６(１)、シート材Sを補給し、シート材収納部２０１が閉じけられると、モータ２０６によりリフター板２０５がb方向に上昇し、積載されたシート材Ｓの最上紙上面は固定部２１１により上下動可能に固定されたシート状ヒータ２１０に密着し、更にリフター板２０５がb方向に上昇し、紙面高さ検知センサ２０７を切ると停止する。この状態は、シート材最上紙がサイド規制板２０２、２０３の最上部よりも低くなる位置で、シート状ヒータ２１０による除湿動作やその後の給紙動作が可能である。ただし、シート状ヒータ２１０はピックアップローラ及び紙面検知センサ２０７とは接触しない構成となっている。
【００２３】
図６(２)(３)、スイッチ２１５が押されると、ソレノイド２１６によりシート状ヒータが退避し、次にソレノイド２１７とバネ２１８によりシート材収納部２０１がｆ方向に開放され、モータ２０６の駆動が切れ、リフター板２０５がa方向に降下する。これによりシート材収納部２０１上方よりシート材Ｓを補給することが可能となり、シート材収納部２０１を閉めると図５(１)の状態になる。
【図面の簡単な説明】
【００２４】
【図１】本発明の給送装置をもつ画像形成装置を示す概略図。
【図２】シート状のヒータの構成を示す概略図。
【図３】実施の形態１の動作概略図。
【図４】実施の形態２の動作概略図。
【図５】実施の形態３の動作概略図。
【図６】実施の形態４の動作概略図。
【符号の説明】
【００２５】
105  リフター板
110  シート状ヒータ
【図１】
2005324905.tif 000003
【図２】
2005324905.tif 000004
【図３】
2005324905.tif 000005
【図４】
2005324905.tif 000006
【図５】
2005324905.tif 000007
【図６】
2005324905.tif 000008